(57)【特許請求の範囲】
【請求項１】
ラック本体に取り付けられる扉であって、
扉本体と、
前記扉本体の左右両側に前記扉本体を左側または右側の一方に回転させるため設けられ、上下方向にスライド可能な上下１対の回転軸を備える第１の回転軸および第２の回転軸と、
前記第１の回転軸の上下の回転軸のそれぞれに連結し、前記扉本体の後方から見て反時計方向への回転により前記扉本体に第１の回転軸を収納させる第１の開閉レバーと、
前記第２の回転軸の上下の回転軸のそれぞれに連結し、前記扉本体の後方から見て時計方向への回転により前記扉本体に第２の回転軸を収納させる第２の開閉レバーと、
前記第１の開閉レバーの前記扉本体の後方から見て反時計方向への回転により、第２の開閉レバーに連結する第２の回転軸が前記扉本体内に収納されるのを抑止し、前記第２の開閉レバーの前記扉本体の後方から見て時計方向への回転により、第１の開閉レバーに連結する第１の回転軸が前記扉本体内に収納されるのを抑止する抑止部材と、を有し、
前記第１の回転軸の上部の回転軸に突起部を備え、
前記抑止部材は、
一端が、前記第１の回転軸の前記突起部が連結しかつスライドする、第１の端部と第２の端部とを有する穴部を備え、他端が、第２回転軸の上部の回転軸に連結される連結部材を備え、
前記連結部材が、前記第１の開閉レバーの前記扉本体の後方から見て反時計方向への回転により、前記第１の回転軸とともに押し下げられたときに、前記第１の回転軸の突起部は、前記穴部の第１端部から第２端部へ向けてスライドして第２端部に突き当たることで、第２の開閉レバーの回転が抑止され、かつ前記連結部材が、前記第２開閉レバーの前記扉本体の後方から見て時計方向への回転により、前記第２の回転軸とともに押し下げられたときに、前記第１の回転軸の突起部が前記穴部の第１端部から第２端部へ向けてスライドして第２端部に突き当たることで、第１の開閉レバーの回転を抑止することを特徴とする扉。
【請求項２】
ラック本体と、前記ラック本体の所定の位置に取り付けられた扉とを備えたラックであって、
扉は、
扉本体と、
前記扉本体の左右両側に前記扉本体を左側または右側の一方に回転させるため設けられ、上下方向にスライド可能な上下１対の回転軸を備える第１の回転軸および第２の回転軸と、
前記第１の回転軸の上下の回転軸のそれぞれに連結し、前記扉本体の後方から見て反時計方向への回転により前記扉本体に第１の回転軸に収納させる第１の開閉レバーと、
前記第２の回転軸の上下の回転軸のそれぞれに連結し、前記扉本体の後方から見て時計方向への回転により前記扉本体に第２の回転軸を収納させる第２の開閉レバーと、
前記第１の開閉レバーの前記扉本体の後方から見て反時計方向への回転により、第２の開閉レバーに連結する第２の回転軸が前記扉本体内に収納されるのを抑止し、前記第２の開閉レバーの前記扉本体の後方から見て時計方向への回転により、第１の開閉レバーに連結する第１の回転軸が前記扉本体内に収納されるのを抑止する抑止部材と、を有し、
前記第１の回転軸の上部の回転軸に突起部を備え、
前記抑止部材は、
一端が、前記第１の回転軸の前記突起部が連結しかつスライドする、第１の端部と第２の端部とを有する穴部を備え、他端が、第２回転軸の上部の回転軸に連結される連結部材を備え、
前記連結部材が、前記第１の開閉レバーの前記扉本体の後方から見て反時計方向への回転により、前記第１の回転軸とともに押し下げられたときに、前記第１の回転軸の突起部は、前記穴部の第１端部から第２端部へ向けてスライドして第２端部に突き当たることで、第２の開閉レバーの回転が抑止され、かつ前記連結部材が、前記第２開閉レバーの前記扉本体の後方から見て時計方向への回転により、前記第２の回転軸とともに押し下げられたときに、前記第１の回転軸の突起部が前記穴部の第１端部から第２端部へ向けてスライドして第２端部に突き当たることで、第１の開閉レバーの回転を抑止することを特徴とするラック。
【発明の詳細な説明】
【技術分野】
【０００１】
本発明は、ディスクアレイ装置等の扉の開閉機構に関する。
【背景技術】
【０００２】
ディスクアレイ装置は、ラックの内部にＲＡＩＤ（Redundant Array of Inexpensive Disks）を構成するハードディスク等を搭載している。ハードディスクの交換等、ディスクアレイ装置の保守を行う場合は、扉の開閉が必要となる。一方、扉は、一般的に、左側または右側のいずれか一方でのみ開閉するようになっている。
【特許文献１】特開平１０−２３８９３６号公報
【発明の開示】
【発明が解決しようとする課題】
【０００３】
ディスクアレイ装置を設置する場合、使用者は、扉の開閉方向に従って、設置場所を検討する必要があった。このため、扉の開閉を左側または右側の両方向に行えるディスクアレイ装置が求められている。
本発明は、左右の両方向に開閉できる扉およびラックを提供することを目的とする。
【課題を解決するための手段】
【０００４】
本発明の扉は、ラック本体に取り付けられる扉であって、扉本体と、前記扉本体の左右両側に前記扉本体を左側または右側の一方に回転させるため設けられ、上下方向にスライド可能な上下１対の回転軸を備える第１の回転軸および第２の回転軸と、前記第１の回転軸の上下の回転軸のそれぞれに連結し、前記扉本体の後方から見て反時計方向への回転により前記扉本体に第１の回転軸を収納させる第１の開閉レバーと、前記第２の回転軸の上下の回転軸のそれぞれに連結し、前記扉本体の後方から見て時計方向への回転により前記扉本体に第２の回転軸を収納させる第２の開閉レバーと、前記第１の開閉レバーの前記扉本体の後方から見て反時計方向への回転により、第２の開閉レバーに連結する第２の回転軸が前記扉本体内に収納されるのを抑止し、前記第２の開閉レバーの前記扉本体の後方から見て時計方向への回転により、第１の開閉レバーに連結する第１の回転軸が前記扉本体内に収納されるのを抑止する抑止部材と、を有し、前記第１の回転軸の上部の回転軸に突起部を備え、前記抑止部材は、一端が、前記第１の回転軸の前記突起部が連結しかつスライドする、第１の端部と第２の端部とを有する穴部を備え、他端が、第２回転軸の上部の回転軸に連結される連結部材を備え、前記連結部材が、前記第１の開閉レバーの前記扉本体の後方から見て反時計方向への回転により、前記第１の回転軸とともに押し下げられたときに、前記第１の回転軸の突起部は、前記穴部の第１端部から第２端部へ向けてスライドして第２端部に突き当たることで、第２の開閉レバーの回転が抑止され、かつ前記連結部材が、前記第２開閉レバーの前記扉本体の後方から見て時計方向への回転により、前記第２の回転軸とともに押し下げられたときに、前記第１の回転軸の突起部が前記穴部の第１端部から第２端部へ向けてスライドして第２端部に突き当たることで、第１の開閉レバーの回転を抑止する構成である。
【０００５】
このように、扉の左側または右側の一方の開閉レバーの回転により、開閉レバーに連結する回転軸は、扉に収納され、ラック本体から外れる。この結果、他方の開閉レバーに連結している回転軸は、扉を回転させるための回転軸となる。このことにより、回転させた開閉レバーを手前に引けば、扉を開くことが可能となる。この結果、扉の左側の回転レバーを回転させて、手前に引けば、左側が開き、扉の右側の回転レバーを回転させて、手前に引けば、右側が開く結果、扉を両方向に開くことが可能となる。
【発明の効果】
【０００９】
本発明により、両方に開く為の扉構造を持ったラックにより、ディスクアレイ装置等の設置時の制限をより少なくし保守性および作業性を向上することができる。
【発明を実施するための最良の形態】
【００１０】
（実施例１）
図１は実施例１のラックの斜視図である。
ラック１は、ラック本体２と扉３を有する。  
ラック１は、例えば、ディスクアレイ装置に使用されるものであり、ラック本体２にＲＡＩＤ（Redundant Array of Inexpensive Disks）を構成する複数のハードディスク等を搭載している。
一方、扉３には、ラック１の前面の扉３の高さ方向の中心付近の左右両側に扉３を開閉するための開閉レバー１４、２４が設けられている。図１の開閉レバー１４、２４は、停止位置にある。
図２に実施例１のラックの扉を開けた図を示す。
ラック本体２には、扉３と係合するための軸受け部６を４箇所有する。
また、扉３は、扉本体７と開閉機構８を有する。
操作者が図１に示す開閉レバー１４を時計方向に回転して、手前に引くと、扉３は、左側に開く。図２(Ａ)は、扉３を左側に開いた図を示す。
操作者が図１に示す開閉レバー２４を時計方向に回転して、手前に引くと、扉３は、右側に開く。図２(Ｂ)は、扉３を右側に開いた図を示す。
【００１１】
図３は、実施例１の扉の開閉機構の説明図を示す。
図３（Ａ）は、扉３の背面図である。
上下、左右、回転の各方向は、図３に示す扉３の背面図から見た場合の方向を示す。扉３の正面である操作者側から見た方向については、個別に説明を行う。
開閉機構８は、扉本体７の右側の回転軸１１〜１２、右側の回転ロック用バー１３、右側の開閉レバー１４、右側の回転支持部１５を有する。また、左側の回転軸２１〜２２、左側の回転ロック用バー２３、左側の開閉レバー２４、左側の回転支持部２５を有する。
【００１２】
回転軸１１〜１２は、扉本体７の右側に上下方向に設けられる。また、回転軸１１、１２は、開閉レバー１４に連結している。
そして、図２（Ａ）に示すようにラック１の扉３を操作者から見て左側に開くときには、回転軸１１〜１２は、ラック本体２との係合から外れて、扉本体７に収納されるように、上下方向に移動する。
また、回転軸１１〜１２は、図２(Ｂ)に示すように扉３を操作者から見て右側に開くときには、回転軸として機能する。
【００１３】
回転軸２１〜２２は、扉本体７の左側に上下方向に設けられる。また、回転軸２１、２２は、開閉レバー２４に連結している。
そして、図２(Ｂ)に示すようにラック本体２に対して扉３を操作者から見て右側に開くときには、回転軸２１〜２２は、ラック本体２との係合から外れて、扉本体７に収納されるように、上下方向に移動する。回転軸２１〜２２は、図２（Ａ）に示すようにラック１の扉３を操作者から見て左側に開くときには、回転軸として機能する。
【００１４】
回転ロック用バー１３は、扉本体７の右側に設けられ、一端が開閉レバー１４の回転方向に隣接して配置され、他端が回転ロック用バー２３に隣接して配置される。そして、回転ロック用バー１３の一端が、開閉レバー１４の反時計方向への回転により押下げられると、回転支持部１５を中心に時計方向に回転する。回転により、回転ロック用バー１３の他端は、回転ロック用バー２３と接触する。この結果、回転ロック用バー１３は、回転ロック用バー２３の時計方向の回転を抑制する。
【００１５】
回転ロック用バー２３は、扉本体７の左側に設けられ、一端が開閉レバー２４の回転方向に隣接して配置され、他端が回転ロック用バー１３に隣接して配置される。そして、回転ロック用バー２３の一端が、開閉レバー２４の反時計方向への回転により押上げられると、回転支持部２５を中心に時計方向に回転する。 回転により、回転ロック用バー２３の一端は、回転ロック用バー１３と接触する。この結果、回転ロック用バー２３は、回転ロック用バー１３の時計方向の回転を抑制する。
【００１６】
開閉レバー１４は、扉本体７の右側に設けられ、停止位置から所定位置まで反時計向に回転することにより、回転軸１１を下方に、回転軸１２を上方に移動させてラック本体２の軸受け部６との係合を外し、扉本体７に回転軸１１、１２を収納する。そして、操作者が、開閉レバー１４を手前にひくことで、扉本体７を操作者側から見て左側に開くことができる。また、開閉レバー１４は、回転ロック用バー１３を押下げる。
また、開閉レバー１４は、ロック機構を有する。そして、開閉レバー１４が、反時計方向に回転し所定の位置でロックすると、回転ロック用バー１３、回転軸１１〜１２は、ロックされる。
扉３を閉めるときには、操作者は、扉３をラック本体２に収容したのち、開閉レバー１４を停止位置に戻す。この結果、開閉レバー１４に連結した回転軸１１は上方に、回転軸１２は下方に移動してラック本体２の軸受け部６に係合する。
【００１７】
図４に、実施例１の開閉レバーのロック機構の説明図を示す。
開閉レバー１４のロック機構は、ハンドル４１に設けられたロック用のロックレバー４２と、扉本体７に設けられたフランジ部４４の溝４３とから構成される。
ロックレバー４２の先端が溝４３と係合している場合には、ハンドル４１の回転はロックされる。また、ロックレバー４２が押下され、その先端と溝４３との係合が外れると、ハンドル４１の回転のロックは解除される。図４のロックレバー４２の破線はロック解除のときの状態を示し、実線は、ロックのときの状態を示す。
開閉レバー１４の操作を説明する。
扉３を開けるために、まず停止位置において、操作者がロックレバー４２を押下しながらハンドル４１を掴むと、ロックは、解除される。その状態で、操作者が停止位置から所定の位置までハンドル４１を操作者側から見て時計方向に回転させたのちに、ロックレバー４２を離すと、ロックレバー４２の先端がフランジ部４４の溝４３に係合してハンドル４１は、ロックされる。この状態になると、扉３を開けることが可能となる。
扉３を閉めるために、操作者は、ロックレバー４２を押下しながらハンドル４１を掴み、操作者側から見て反時計方向にハンドル４１を回転して所定位置から停止位置に戻す。そして、ロックレバー４２を離すとロックレバー４２の先端がフランジ部４４の溝４３に係合してハンドル４１は、ロックされる。
【００１８】
図３の説明に戻る。
開閉レバー２４は、扉本体７の左側に設けられ、停止位置から所定位置まで反時計向に回転することにより、回転軸２１を下方に、回転軸２２を上方に移動させてラック本体２の軸受け部６との係合を外し、扉本体７に回転軸２１、２２を収納する。そして、操作者が、開閉レバー２４を手前にひくことで、扉本体７を操作者側から見て左側に開くことができる。また、開閉レバー２４は、回転ロック用バー２３を押上げる。
また、開閉レバー２４は、ロック機構を有する。そして、開閉レバー２４が、反時計方向に回転し所定の位置でロックすると、回転軸２１〜２２、回転ロック用バー２３は、ロックされる。扉３を閉めるときには、操作者は、扉３をラック本体２に収容したのち、開閉レバー２４を停止位置に戻す。この結果、開閉レバー２４に連結した回転軸２１は上方に、回転軸２２は下方に移動してラック本体２の軸受け部６に係合する。
開閉レバー２４のロック機構は、開閉レバー１４のロック機構と同一である。
【００１９】
回転支持部１５は、回転ロック用バー１３を、回転支持部２５は、回転ロック用バー２３を回転させるための支持部である。回転支持部１５および回転支持部２５は、バネを有し、回転用ロックレバー１３または回転用ロックレバー２３が時計方向に回転するとバネが圧縮される。そのため、回転支持部１５、２５は、開閉レバー１４、２４が時計方向に回転し、停止位置に戻ると、バネ力で元の停止位置に戻る。
【００２０】
図３（Ｂ）にバネ部３１を示す。
図３（Ｂ）は、回転軸１２が挿入されるバネ部３１の例を示す。
他の回転軸１１、２１、２２が挿入されるバネ部３１も同様の構造である。
バネ部３１は、扉本体７に固定されており、バネを内蔵し、各回転軸１１，１２，２１，２２が挿入される。
扉３が閉められた状態で、かつ回転軸１１〜１２、回転軸２１〜２２がラック本体２の軸受け部６に係合しているときには、バネは、圧縮されていない状態である。
一方、回転軸１１〜１２が開閉レバー１４の反時計方向の回転により、扉本体７に収容されたとき、または、回転軸２１〜２２が開閉レバー２４の反時計方向の回転により扉本体７に収容されたときには、各回転軸１１〜１２または各回転軸２１〜２２と結合された圧縮部３２が、バネを圧縮する。
開閉レバー１４の時計方向の回転により、停止位置に戻るときは、バネの復元力で、回転軸１１〜１２は、ラック本体２の軸受け部６に係合する。また、開閉レバー２４の時計方向の回転により、停止位置に戻るときは、バネの復元力で、回転軸２１〜２２は、ラック本体２の軸受け部６に係合する。
【００２１】
＜開閉動作の説明＞
図５に実施例１の扉を閉めた状態の説明図を示す。
図５は、回転軸１１，１２、２１，２２は、扉本体７より飛び出しラック本体２の軸受け部６に挿入されている場合を示す。
また、回転ロック用バー１３、２３は、接触せずに、所定の間隔で離れたままの状態である。
開閉レバー１４，２４は、停止位置にある。
【００２２】
図６に実施例１の扉を左側に開けるときの動作の説明図１を示す。
操作者から見て左側に扉３を開く場合の説明である。扉本体７の背面から見た図である。
図６（Ａ）は、停止位置の開閉レバー１４、回転軸１１〜１２、回転ロック用バー１３、回転支持部１５を示す。
まず、図６（Ａ）は、開閉レバー１４が反時計方向に回転する前の状態を示す。矢印は、反時計方向への移動方向を示す。操作者が、扉を左側に開けるため、開閉レバー１４を操作者から見て時計方向に回転する場合である。
図６（Ｂ）に開閉レバー１４が反時計方向に回転したあとの状態を示す。回転により、開閉レバー１４は、連結された回転軸１１を下方向に、回転軸１２を上方向に移動させる。この結果、回転軸１１は、ラック本体２の軸受け部６から外れる。また、回転軸１２は、ラック本体２の軸受け部６から外れる。
同時に、開閉レバー１４は、隣接する回転ロック用バー１３の端部を押下げる。その結果、回転ロック用バー１３は、回転支持部１５を中心に時計方向に回転する。
【００２３】
図７に実施例１の扉を左側に開けるときの動作の説明図２である。
回転ロック用バー１３の回転により、回転ロック用バー１３の端部は、回転ロック用バー２３に接触する。開閉レバー１４は、回転によりロックされているため、回転ロック用バー１３は、反時計方向の回転はできない。
この結果、回転ロック用バー２３は、回転ロック用バー１３により、時計方向の回転を抑制されるため、回転ロック用バー２３に連結している開閉レバー２４の反時計方向の回転は、抑制される。
この結果、回転軸２１，２２は、ラック本体２に係合したままのため、扉３の回転軸となる。このため、開閉レバー１４を手前に引けば、扉３は、操作者から見て左側に開くこととなる。
【００２４】
次に、左側に開いた扉３を締めるときの動作の説明である。
まず、操作者は、扉３を回転させて、ラック本体２に収納する。
次に、操作者は、開閉レバー１４を操作者側から見て反時計方向に回転させる。
回転により、開閉レバー１４は、連結された回転軸１１を上方に，回転軸１２を下方向に移動させる。この結果、回転軸１１は、ラック本体２の軸受け部６に挿入される。また、回転軸１２は、ラック本体２の軸受け部６に挿入される。
同時に、開閉レバー１４は、回転ロック用バー１３を押下げた状態を解放する。その結果、回転ロック用バー１３は、回転支持部１５を中心に反時計方向に回転し、停止位置に戻る。この回転ロック用バー１３の回転により、回転ロック用バー１３の端部は、回転ロック用バー２３から離れる。このようにして、回転ロック用バー２３は、回転ロック用バー１３による抑制から解放される。この結果、ラック本体２に対して扉３を閉めた状態となる。
【００２５】
図８に実施例１の扉を右側に開けるときの動作の説明図である。
まず、図５の状態で、開閉レバー２４が反時計方向に回転される。
回転により、開閉レバー２４は、連結された回転軸２１を下方向に、回転軸２２を上方向に移動させる。この結果、回転軸２１は、ラック本体２の軸受け部６から外れる。また、回転軸２２は、ラック本体２の軸受け部６から外れる。
同時に、開閉レバー２４は、回転ロック用バー２３の端部を押上げる。その結果、回転ロック用バー２３は、回転支持部２５を中心に時計方向に回転する。
回転ロック用バー２３の回転により、回転ロック用バー２３の端部は、回転ロック用バー１３に接触する。開閉レバー２４は、回転によりロックされている。この結果、回転ロック用バー１３は、回転ロック用バー２３により、時計方向の回転を抑制されるため、それに連結している開閉レバー１４の回転は、抑制される。
この結果、回転軸１１，１２は、ラック本体２に係合したままのため、扉３の回転軸となる。このため、操作者が開閉レバー２４を手前に引けば、扉３は、操作者から見て右側に開くこととなる。
【００２６】
次に、右側に開いた扉３を締めるときの動作の説明である。
まず、操作者は、扉３を回転させて、ラック本体２に収納する。
次に、操作者は、開閉レバー２４を操作者から見て反時計方向に回転させる。
回転により、開閉レバー２４は、連結された回転軸２１を上方に，回転軸２２を下方向に移動させる。この結果、回転軸２１は、ラック本体２の軸受け部６に挿入される。また、回転軸２２は、ラック本体２の軸受け部６に挿入される。
同時に、開閉レバー２４は、回転ロック用バー２３を押上げた状態を解放する。その結果、回転ロック用バー２３は、回転支持部２５を中心に反時計方向に回転し、停止位置に戻る。
回転ロック用バー２３の回転により、回転ロック用バー１３の端部は、回転ロック用バー２３から離れる。このようにして、回転ロック用バー１３は、回転ロック用バー２３による抑制から解放される。この結果、ラック本体２に対して扉３を閉めた状態となる。
【００２７】
また、回転軸１１，１２，２１，２２の端部に、バネ部３１を形成しており、扉本体７内に収納するときに、圧縮部３２でバネを圧縮するようにしてあるため、開閉レバー１４または、開閉レバー２４を元に戻すときに、扉本体７から簡単に飛び出させることができる。
【００２８】
（実施例２）
図９に、実施例２の扉の開閉機構の説明図を示す。
図９は、扉４の背面図の概要を示す。実施例２のラックは、図１のラック１の斜視図の扉３を扉４、開閉レバー１４を開閉レバー５４、開閉レバー２４を開閉レバー６４に置き換えたものに相当する。
上下、左右、回転の各方向は、図９の扉４の背面図から見た方向を示す。扉４の正面である操作者側から見た方向については、個別に説明を行う。
開閉機構９は、右側の回転軸５１〜５２、右側の開閉レバー５４を有する。また、開閉機構９は、左側の回転軸６１〜６２、左側の開閉レバー６４を有する。また、ロック用バー７１を有する。
実施例２は、実施例１の回転ロックバー１３、２３の代わりにロックバー７１を用いる点が実施例１と異なる。また、開閉レバー５４と開閉レバー６４の開閉方向が、逆方向である点が実施例１とは、異なる。
【００２９】
回転軸５１〜５２は、扉４を左側に開くときには、ラック本体２から外れるように、上下方向に移動する。扉４を右側に開くときには、回転のための軸として機能する。また、回転軸５１、５２は、開閉レバー５４に連結している。
【００３０】
回転軸６１〜６２は、扉４を右側に開くときには、ラック本体２から外れるように、上下方向に移動する。扉４を左側に開くときには、回転のための軸として機能する。また、回転軸６１、６２は、開閉レバー６４に連結している。
【００３１】
開閉レバー５４は、図９に示すように扉本体７の右側に設けられ、停止位置から所定位置まで反時計向に回転することにより、回転軸５１を下方に、回転軸５２を上方に移動させてラック本体２の軸受け部６との係合を外し、扉本体７に収納させる。そして、操作者が、開閉レバー５４を手前にひくことで、扉本体７を操作者側から見て左側に開くことができる。
【００３２】
このとき、開閉レバー５４は、回転によりロック用バー７１を押下げる。また、開閉レバー５４は、ロック機構を有する。このため、開閉レバー５４は、反時計方向に回転し、所定の位置でロックすると、ロック用バー７１、回転軸５１〜５２は、ロックされる。
扉３を閉めるときには、操作者は、扉３をラック本体２に収容したのち、開閉レバー５４を停止位置に戻す。この結果、開閉レバー５４に連結した回転軸５１は上方に、回転軸５２は下方に移動してラック本体２の軸受け部６に係合する。
開閉レバー５４のロック機構は、実施例１の開閉レバー１４のロック機構と同一である。
開閉レバー６４は、図９に示すように扉本体７の左側に設けられ、停止位置から時計方向に回転することにより、回転軸６１を下方に、回転軸６２を上方に移動させてラック本体２の軸受け部６との係合を外し、扉本体７に収納させる。そして、操作者が、開閉レバー６４を手前にひくことで、扉本体７を操作者側から見て右側に開くことができる。このとき、開閉レバー６４は、回転によりロック用バー７１を押下げる。
また、開閉レバー６４は、ロック機構を有する。このため、開閉レバー６４は、時計方向に回転し、所定の位置でロックすると、ロック用バー７１、回転軸６１〜６２は、ロックされる。扉３を閉めるときには、操作者は、扉３をラック本体２に収容したのち、開閉レバー６４を停止位置に戻す。この結果、開閉レバー６４に連結した回転軸６１は上方に、回転軸６２は下方に移動してラック本体２の軸受け部６に係合する。
開閉レバー６４のロック機構は、開閉レバー１４のロック機構と同一である。
【００３３】
ロック用バー７１は、回転軸５１および回転軸５２と連結している。また、ロック用バー７１は、開閉レバー５４が反時計方向に回転すると、開閉レバー６４の回転を抑止する。また、開閉レバー６４が時計方向に回転すると、開閉レバー５４の回転を抑止する。
【００３４】
＜開閉動作の説明＞
図１０に実施例２の扉を閉めた状態の説明図を示す。
扉４を閉めラック本体２に収容しているときの状態を示す。
図１０は、回転軸５１，５２、６１，６２が、扉本体７より飛び出しラック本体２の軸受け部６に挿入されている場合を示す。また、ロック用バー７１、開閉レバー５４，６４は、停止位置である。
【００３５】
図１１に実施例２の扉を左側に開けるときの動作の説明図を示す。
図１１は、扉本体７の背面図である。
まず、図１０の状態で、開閉レバー５４が反時計方向に回転される。図１０の点線矢印で示す方向である。操作者が開閉レバー５４を操作者から見て時計方向に回転する場合である。
図１１は、開閉レバー５４の回転後の状態である。
回転により、開閉レバー５４は、連結された回転軸５１を下方向に、回転軸５２を上方向に移動させる。この結果、回転軸５１は、ラック本体２の軸受け部６から外れる。また、回転軸５２は、ラック本体２の軸受け部６から外れる。この状態で、開閉レバー５４は、ロックされる。このため、回転軸５１，５２もロックされる。また、開閉レバー５４は、回転により、回転軸５１に連結しているロック用バー７１を押下げる。その結果、ロック用バー７１の穴部７２の右端から回転軸５１の突起部７３が穴を左へスライドして、穴部７２の左端で停止する。
この状態では、ロック用バー７１は、突起部７３に抑止され、右方向にスライドできないので、これに連結している回転軸６１および回転軸６１に連結している開閉レバー６４の時計方向への回転は、抑制される。
この結果、回転軸６１，６２は、左開きに回転するための軸となる。そして、操作者が開閉レバー５４を手前に引けば、扉本体７は、左側に開くこととなる。
【００３６】
次に、左側に開いた扉４を締めるときの動作の説明である。
まず、操作者は、扉４を回転して、ラック本体２に収納する。
次に、操作者は、開閉レバー５４を操作者側から見て反時計方向に回転させる。
図１１から見て、開閉レバー５４は、時計方向に回転するため、連結された回転軸５１を上方に，回転軸５２を下方向に移動させる。この結果、回転軸５１は、ラック本体２の軸受け部６に挿入される。また、回転軸５２は、ラック本体２の軸受け部６に挿入される。
同時に、開閉レバー５４は、ロック用バー７１を押上げる。その結果、回転軸５１の突起部７３が穴部７２の右端までスライドする。そして、ロック用バー７１は、停止位置に戻る。この結果、扉本体７を閉めた状態となる。
【００３７】
図１２に実施例２の扉を右側に開けるときの動作の説明図である。
まず、図１０の状態で、開閉レバー６４が時計方向に回転される。図１０の点線矢印で示す方向である。操作者が開閉レバー６４を操作者から見て反時計方向に回転する場合である。
回転により、開閉レバー６４は、連結された回転軸６１を下方向に、回転軸６２を上方向に移動させる。この結果、回転軸６１は、ラック本体２の軸受け部６から外れる。また、回転軸６２は、ラック本体２の軸受け部６から外れる。
同時に、開閉レバー６４は、ロック用バー７１を押下げる。その結果、ロック用バー７１の穴部７２を回転軸５１の突起部７３がスライドする。そして、穴部７２の左端で停止する。
この状態で、ロック用バー７１に連結している開閉レバー５４を回転させようとしても、回転軸６１がこれ以上移動できないため、ロック用バー７１の移動を抑止するため、開閉レバー５４は、回転できない。
回転軸５１，５２は、右開きに回転するための軸となる。そして、操作者が開閉レバー６４を手前に引けば、扉４は、右側に開くこととなる。
【００３８】
次に、右側に開いた扉４を締めるときの動作の説明である。
まず、操作者は、扉４を回転させて、ラック本体２に収納する。
次に、操作者は、開閉レバー６４を操作者側から見て時計方向に回転させる。
回転により、開閉レバー６４は、連結された回転軸６１を上方に，回転軸６２を下方向に移動させる。この結果、回転軸６１は、ラック本体２の軸受け部６に挿入される。また、回転軸６２は、ラック本体２の軸受け部６に挿入される。
同時に、開閉レバー６４は、ロック用バー７１を押上げる。その結果、ロック用バー７１は、穴部７２を突起部７３が左端から右端にスライドする。その結果、ロック用バー７１は、停止位置に戻る。この結果、扉４を閉めた状態となる。
【００３９】
実施例に示すように、両方に開く為の扉構造を持ったラックを有する装置は、設置時の制限がより少ないため、保守性および作業性が向上する。
また、以上の説明は、ディスクアレイ装置に使用するラックおよびその扉について説明を行ったが、ディスクアレイ装置に限らず、サーバ等の他の情報処理装置のラックおよびその扉にも適用が可能である。
【００４０】
以上の実施例を含む実施形態に関し、更に以下の付記を開示する。
（付記１）電子装置を収容するラック本体を開閉するための扉であって、扉本体と、前記扉本体の左右両側に設けられ、上下方向にスライド可能であり、かつ前記扉本体を左側または右側の一方に回転するための１対の回転軸と、前記扉本体の左右両側に対応する前記回転軸にそれぞれ連結して設けられ、回転により前記１対の回転軸の一方を前記扉本体に収納する１対の開閉レバーと、前記開閉レバーの回転と連動して他方の回転軸が前記扉本体内に収納されるのを抑止する抑止部材と、を有する扉。
（付記２）前記抑止部材は、前記扉本体の中央から左右両側に水平方向に設けられ、一端が前記開閉レバーの回転方向に隣接して配置され、他端が互いに回転により接触する位置に隣接して配置される一対の回転部材と、前記回転部材を回転させるための回転支持部と、を備え、一方の前記開閉レバーの回転により隣接する前記回転部材が押下されて回転し固定することで、他方の前記回転部材の回転および他方の前記回転部材に隣接する他方の前記開閉レバーの回転を抑止することを特徴とする付記１記載の扉。
（付記３）前記抑止部材は、左右の回転軸と連結される連結部材を備え、一方の前記開閉レバーの回転により前記回転軸に連結される前記連結部材の一端が他端を支点として回転し固定することで、他端に連結する他方の前記回転軸の回転および他方の前記回転軸に連結する他方の前記開閉レバーの回転を抑止することを特徴とする付記１記載の扉。
（付記４）電子装置を収容するラック本体と、前記ラック本体と所定の位置で係合するラック本体を開閉するための扉とを備えたラックであって、扉は、扉本体と、前記扉本体の左右両側に設けられ、上下方向にスライド可能であり、かつ前記扉本体を左側または右側の一方に回転するための１対の回転軸と、前記扉本体の左右両側に対応する前記回転軸にそれぞれ連結して設けられ、回転により前記１対の前記回転軸の一方を前記扉本体に収納する１対の開閉レバーと、前記開閉レバーの回転と連動して他方の前記回転軸が前記扉本体内に収納されるのを抑止する抑止部材と、を有するラック。
（付記５）連結部材の一端に溝を設け、回転軸に溝に係合する突起部を設け、開閉レバーの回転により、突起部が溝をスライドすることで、連結部材が回転することを特徴とする付記３記載の扉。
（付記６）1対の開閉レバーは、開閉レバーの開閉方向が逆方向であることを特徴とする付記５記載の扉。
【図面の簡単な説明】
【００４１】
【図１】実施例１のラックの斜視図
【図２】実施例１のラックの扉を開けた図
【図３】実施例１の扉の開閉機構の説明図
【図４】実施例１の開閉レバーのロック機構の説明図
【図５】実施例１の扉を閉めた状態の説明図
【図６】実施例１の扉を左側に開けるときの動作の説明図１
【図７】実施例１の扉を左側に開けるときの動作の説明図２
【図８】実施例１の扉を右側に開けるときの動作の説明図
【図９】実施例２の扉の開閉機構の説明図
【図１０】実施例２の扉が閉めた状態の説明図
【図１１】実施例２の扉を左側に開けるときの動作の説明図
【図１２】実施例２の扉を右側に開けるときの動作の説明図
【符号の説明】
【００４２】
１  ラック
２  ラック本体
３、４  扉
６  軸受け部
７  扉本体
８、９  開閉機構
１１、１２、２１，２２、５１，５２，６１，６２  回転軸  
１３、２３  回転ロック用バー  
１４、２４、５４，６４  開閉レバー
１５、２５  回転支持部  
３１  バネ部
３２  圧縮部
４１  ハンドル
４２  ロックレバー
４３  溝
４４  フランジ部
７１  ロック用バー
７２  穴部
７３  突起部  
【図１】
0005109624.tif 000002
【図２】
0005109624.tif 000003
【図３】
0005109624.tif 000004
【図４】
0005109624.tif 000005
【図５】
0005109624.tif 000006
【図６】
0005109624.tif 000007
【図７】
0005109624.tif 000008
【図８】
0005109624.tif 000009
【図９】
0005109624.tif 000010
【図１０】
0005109624.tif 000011
【図１１】
0005109624.tif 000012
【図１２】
0005109624.tif 000013